(57)【特許請求の範囲】
【請求項１】
商品収納ラック,商品販売機構を搭載したキャビネットの前面に販売商品の商品見本を展示したディスプレイ部と、商品選択用のジョイスティック,および決定ボタンを配した操作部と、商品取出口を備え、商品販売時にジョイスティックの操作によりディスプレイ部に展示されている商品見本の中から所望の商品を選んだ上で決定ボタンを押して購入商品を決定し、この決定に基づき商品収納ラックから指定の商品を払出して商品取出口に搬出するようにしたものであって、ディスプレイ部に展示した各商品見本ごとに表示ランプを備え、ジョイスティックの操作に合わせて前記表示ランプを順次点灯させるようにした自動販売機において、前記ディスプレイ部に展示した商品見本の間を結ぶとともにジョイスティックの操作方向に合わせて点滅する点滅光路を設けたことを特徴とする自動販売機。
【発明の詳細な説明】
【０００１】
【発明の属する技術分野】
この発明は、各種商品を販売する自動販売機に関する。
【０００２】
【従来の技術】
まず、缶商品販売用の自動販売機を例に、従来における自動販売機の構成を図３に示す。図において、１は自動販売機のキャビネット、２はキャビネット１の前面に配した外扉であり、図示されてないがキャビネット１の庫内には商品収納ラック，および商品販売機構が搭載されいてる。また、外扉２には販売商品の商品見本３，および各商品見本３と１対１で対応する商品選択押ボタン４を備えたディスプレイ部５、商品取出口６、およびコイン機構に通じるコイン投入口，ビルバリデータ，金額等の表示パネル装備した操作部７を装備している。
【０００３】
かかる構成で、客が商品を購入する場合には、まず所要の金銭を投入した後、ディスプレイ部５に並ぶ商品見本３の中から所望の商品を選んでその商品に対応する商品選択ボタン４を押す。これにより、押された商品選択ボタン４に対応する商品を商品収納ラックから払出して商品取出口６に搬出する。
【０００４】
【発明が解決しようとする課題】
ところで、前記のようにディスプレイ部５に展示した商品見本３と１対１で対応する商品選択ボタン４の操作で購入商品の選択する従来の方式では、販売商品の種類に対応した数の商品選択ボタンが必要である。
一方、昨今では商品の多様化に対応するために、自動販売機の商品セレクション数も増加の傾向にある。このために、従来の商品選択方式では商品選択ボタンの数が非常に多くなってコスト高となるほか、外扉２の前面に配したディスプレイ部５に数多い商品見本３，商品選択ボタン４を配置することにはスペース的にも限界がある。
【０００５】
また、自動販売機の集客性アップを狙いに、従来では自動販売機に「おまけ販売機能」を持たせたベントルーレットを搭載して遊戯性を取り入れたものも知られているが、集客アップの面には左程効果を発揮していないのが実態である。
この発明は上記の点にかんがみなされたものであり、その目的は販売商品の商品見本と１対１で対応する商品選択ボタンを廃し、これに代えて購入商品の選択が一箇所に設けた共通選択手段で行え、しかも商品展示のバラエティ化，および商品の選択操作に遊戯性を取り入れて集客性のアップが図れるようにした新規な自動販売機を提供することにある。
【０００６】
【課題を解決するための手段】
上記目的を達成するために、本発明によれば、商品収納ラック,商品販売機構を搭載したキャビネットの前面に販売商品の商品見本を展示したディスプレイ部と、商品選択用のジョイスティック,および決定ボタンを配した操作部と、商品取出口を備え、商品販売時にジョイスティックの操作によりディスプレイ部に展示されている商品見本の中から所望の商品を選んだ上で決定ボタンを押して購入商品を決定し、この決定に基づき商品収納ラックから指定の商品を払出して商品取出口に搬出するようにしたものであって、ディスプレイ部に展示した各商品見本ごとに表示ランプを備え、ジョイスティックの操作に合わせて前記表示ランプを順次点灯させるようにした自動販売機において、前記ディスプレイ部に展示した商品見本の間を結ぶとともにジョイスティックの操作方向に合わせて点滅する点滅光路を設けるものとする。
【０００７】
上記構成によれば、ディスプレイ部に展示した数多い商品の選択，決定を、操作部に備えたジョイスティックと決定ボタンの操作で一箇所から全て行うことができ、これにより大幅な省スペース化と併せて、商品選択の操作が簡単に行えるようになる。
【０００８】
また、ジョイスティックの操作に合わせてディスプレイ部に展示した商品見本に備えた表示ランプを点灯させることにより、商品の選択操作に遊戯性を持たせることができるほか、ディスプレイ部に展示する商品見本の配列にも制約が全くなくなるのでバラエティに富んだ商品の展示が可能となる。
【０００９】
【発明の実施の形態】
以下、この発明の実施の形態を図１，図２に示す実施例に基づいて説明する。なお、実施例の図中で図３に対応する同一部には同じ符号が付してある。
図１はこの発明の実施例による自動販売機の外観図を示すものであり、外扉２の前面には商品見本３を展示したディスプレイ部５と別個に設けた操作部８には、商品選択用のジョイスティック９，および決定ボタン１０が装備されている。なお、図示例では操作部８にコイン投入口１１，投入金銭額などを表示する表示パネル１２なども一緒に備えている。
【００１０】
また、ディスプレイ部５に展示した商品見本３は、例えばプラスチック製のダミー商品であってその内部には各商品見本ごとに表示ランプ３ａが組み込まれており、後述のようにジョイスティック９の上下，左右の操作に合わせてそれに対応した商品見本３の表示ランプ３ａが点灯するようにしている。また、ディスプレイ部５の背面パネルには各商品見本３の相互間を結ぶように光源として例えば多数のＬＥＤを配列した点滅光路１３がパターン形成されており、ジョイスティック９の操作方向をディスプレイ部５の上で表示するようにしている。
【００１１】
かかる構成で、客が商品を購入する際には、所要のコインを投入した上で、ジョイスティック９を手動で上下，左右に操作すると、ディスプレイ部５ではジョイスティック９の操作方向に合わせて点滅光路１３に光が走るようにＬＥＤが点滅するとともに、その先に位置する商品見本３の表示ランプ３ａが点灯する。このような手順でジョイスティック９を操作し、所望の商品見本３の表示ランプ３ａが点灯したところでジョイスティック９の操作を止め、次に決定ボタン１０を押す。これにより、自動販売機の販売制御部が決定ボタン１０を押した時点でランプ３ａの点灯しいてる商品見本３に対応する指定の商品を庫内の商品収納ラックから商品取出口６に搬出して１回の販売動作が終了する。図２は前記の販売動作を表すフローチャートである。
【００１２】
なお、ディスプレイ部５に展示する商品見本３としては、ダミー商品を陳列する代わりにディスプレイ部のパネルに商品を印刷して表示することも可能である。また、ディスプレイ部５における商品見本３，点滅光路１３の配列パターンには特別な制約はなく、様々なバリエーションで対応させることができる。
【００１３】
【発明の効果】
以上述べたように、この発明によれば、ディスプレイ部と別個に設けた操作部にジョイスティック，および決定ボタンを配備し、ディスプレイ部に展示した数多い商品見本の中から購入したい商品をジョイスティックと決定ボタンの操作で選択するようにしたので、ディスプレイ部には従来の自動販売機のように商品見本と１対１で対応する多数の商品選択ボタンを配備する必要がなく、これにより大幅な省スペース化と併せて、商品選択の操作が一箇所から集中して行うことができる。
【００１４】
また、ジョイスティックの操作に合わせてディスプレイ部に展示した商品見本を結ぶ点滅光路を点滅させるとともに商品見本に備えた表示ランプを点灯させることにより、商品の選択操作に遊戯性を持たせることができるほか、ディスプレイ部に展示する商品見本の配列にも制約が全くなくなるのでバラエティに富んだ商品の展示が可能となり、これにより自動販売機の集客性アップが図れる。
【図面の簡単な説明】
【図１】この発明の実施例による自動販売機の外観斜視図
【図２】図１の自動販売機による商品販売動作のフローチャート図
【図３】従来における自動販売機の正面図
【符号の説明】
１    キャビネット
２    外扉
３    商品見本
３ａ  表示ランプ
５    ディスプレイ部
６    商品取出口
８    操作部
９    ジョイスティック
１０    決定ボタン
【図１】
0003812140.tif 000002
【図２】
0003812140.tif 000003
【図３】
0003812140.tif 000004